(57)【要約】【課題】単に被検者の頭部の位置を固定できるだけでなく、被検者の頭部の角度を調整することができ、診察に適したＸ線画像を得られる頭部保持機構を提供する。【解決手段】頭部保持機構１００を、被検者の側頭部を挟んで頭部を固定する一対の側頭挟み部材１５２と、一対の側頭挟み部材１５２の各一端部をそれぞれ保持する側頭挟み保持部材２０２と、側頭挟み保持部材２０２を高さ方向の所定の位置で保持する保持部材２０６と、保持部材２０６に対する側頭挟み保持部材１０２の取り付け角度を調整する角度調整部材２０８とで構成することにより、上記課題を解決できる。【選択図】図６
2018007920.tif 000002
【特許請求の範囲】
【請求項１】
被検者の側頭部を挟んで頭部を固定する一対の側頭挟み部材と、
前記一対の側頭挟み部材の各一端部を保持する側頭挟み保持部材と、
前記側頭挟み保持部材を高さ方向の所定の位置で保持する保持部材と、
前記保持部材に対する前記側頭挟み保持部材の取り付け角度を調整する角度調整部材とを備える頭部保持機構。
【請求項２】
前記角度調整部材は、角度調整ネジ部と角度調整頭部とを有するネジであり、
前記側頭挟み保持部材には、前記角度調整ネジ部が挿入される角度調整部材挿入用孔が形成されており、
前記保持部材には、前記角度調整部材挿入用孔に対応する位置に前記角度調整ネジ部がねじ込まれる角度調整ネジ孔が形成されており、
前記角度調整ネジ孔に前記角度調整ネジ部をねじ込んで前記角度調整頭部と前記保持部材との間で前記側頭挟み保持部材を挟むことにより、前記側頭挟み保持部材の水平面に対する前記保持部材への取り付け角度を調整することを特徴とする
請求項１に記載の頭部保持機構。
【請求項３】
前記一対の側頭挟み部材の各他端部同士の間隔を調整する間隔調整手段を備えていることを特徴とする請求項１または２に記載の頭部保持機構。
【請求項４】
前記間隔調整手段は、
前記側頭挟み保持部材と、前後移動部材と、間隔調整部材と、側頭挟み部材保持ピンとを備えており、
前記側頭挟み部材は、前記側頭挟み保持部材に対して前記側頭挟み部材保持ピンを中心にして回転できるように保持されており、
前記側頭挟み保持部材には、前後方向に第１孔が設けられており、
前記前後移動部材は、前後移動伝達部材と、前後移動駆動部材とを有しており、
前記側頭挟み部材の一端部は、前記前後移動伝達部材に対して回転自在かつ所定の範囲で移動可能になっており、
前記前後移動駆動部材には、前記第１孔に対向する位置に前後移動用ネジ孔が形成されており、
前記間隔調整部材は、間隔調整ネジ部と間隔調整頭部とを有するネジであり、
前記第１孔に挿入した前記間隔調整ネジ部を前記前後移動用ネジ孔にねじ込んで前記前後移動部材の位置を調整することを特徴とする
請求項３に記載の頭部保持機構。
【請求項５】
前記保持部材の上下方向の位置を調整する上下位置調整手段を備えていることを特徴とする請求項１から４のいずれか１項に記載の頭部保持機構。
【請求項６】
前記上下位置調整手段は、
前記保持部材と、収容部材と、上下位置調整部材とを備えており、
前記収容部材は、前記保持部材の一部を収容する内部空間と、外部と前記内部空間との間を行き来できるようにする連通孔と、前記内部空間の内壁から前記連通孔に向かって延びるガイドと、前記ガイドに形成された上下位置調整用ネジ穴とを有しており、
前記保持部材は、前記内部空間に収容される保持部を有しており、
前記本体部には、前記ガイドが移動可能に嵌まり込む長孔が形成されており、
前記上下位置調整部材は、上下位置調整ネジ部と、上下位置調整頭部とを有するネジであり、
前記連通孔に挿入した前記上下位置調整ネジ部を前記上下位置調整用ネジ穴にねじ込んで前記収容部材に対する前記保持部材の位置を調整することを特徴とする
請求項５に記載の頭部保持機構。
【請求項７】
前記保持部材の前後方向の位置を調整する前後位置調整手段を備えていることを特徴とする請求項１から６のいずれか１項に記載の頭部保持機構。
【請求項８】
前記保持部材の前後方向の位置を調整する前後位置調整手段を備えており、
前記前後位置調整手段は、ロック部材と、被操作部材と、弾性部材と、被ロック部材とを有しており、
前記被操作部材は、前記収容部材に取り付けられており、
前記ロック部材は前記被操作部材に取り付けられているとともに、天井部材のスライド空間内に配置されており、
前記被ロック部材は、前記天井部材に設けられており、
前記弾性部材は、前記被ロック部材と係り合う方向に前記ロック部材に対して力を加えることを特徴とする
請求項６に記載の頭部保持機構。
【発明の詳細な説明】
【技術分野】
【０００１】
本発明は、例えば歯科や耳鼻科で使用されるＸ線撮影装置において被検者の頭部を保持する頭部保持機構に関する。
【背景技術】
【０００２】
例えば歯科や耳鼻科で使用されるＸ線撮影装置には、ブレが少なく診断しやすいＸ線画像を得るために被検者の頭部を正しい位置で保持する頭部保持機構が設けられている。
【０００３】
特許文献１に開示された医科歯科用Ｘ線撮影装置にもそのような頭部保持機構が設けられている。この頭部保持機構を構成する一対の側頭部押さえ部によって被検者の頭部を挟むことができるようになっている。これにより、被検者の頭部の位置を固定することができる。
【先行技術文献】
【特許文献】
【０００４】
【特許文献１】特開２００８−９２９９０号公報
【発明の概要】
【発明が解決しようとする課題】
【０００５】
しかしながら、例えば、パノラマ撮影であれば被検者の「眼耳平面」を水平にした状態で撮影を行い、ＣＴ撮影であれば「咬合平面」を水平にした状態で撮影を行うのが一般的であるところ、特許文献１に開示された医科歯科用Ｘ線撮影装置では、単に被検者の頭部の位置を固定するだけであり、被検者の頭部の角度を調整し、然る後、その角度を固定することについては考慮されていないことから、被検者の「眼耳平面」や「咬合平面」の角度を固定して診断に適したＸ線画像を得るのが難しいという問題があった。
【０００６】
本発明は、このような従来技術の問題に鑑みて開発されたものである。それゆえに本発明の主たる課題は、単に被検者の頭部の位置を固定できるだけでなく、水平面に対する被検者の頭部の角度を固定することのできる頭部保持機構を提供することにある。
【課題を解決するための手段】
【０００７】
本発明の頭部保持機構は、被検者の側頭部を挟んで頭部を固定する一対の側頭挟み部材と、前記一対の側頭挟み部材の各一端部を保持する側頭挟み保持部材と、前記側頭挟み保持部材を高さ方向の所定の位置で保持する保持部材と、前記保持部材に対する前記側頭挟み保持部材の取り付け角度を調整する角度調整部材とを備えている。
【０００８】
また、前記角度調整部材として角度調整ネジ部と角度調整頭部とを有するネジを使用し、前記側頭挟み保持部材に前記角度調整ネジ部が挿入される角度調整部材挿入用孔を形成し、前記保持部材に前記角度調整部材挿入用孔に対応する位置に前記角度調整ネジ部がねじ込まれる角度調整ネジ孔が形成し、前記角度調整ネジ孔に前記角度調整ネジ部をねじ込んで前記角度調整頭部と前記保持部材との間で前記側頭挟み保持部材を挟むことにより、前記側頭挟み保持部材の水平面に対する前記保持部材への取り付け角度を調整できるようにしてもよい。
【０００９】
また、前記一対の側頭挟み部材の各他端部同士の間隔を調整する間隔調整手段を設けてもよい。
【００１０】
また、前記間隔調整手段を、前記側頭挟み保持部材と、前後移動部材と、間隔調整部材と、側頭挟み部材保持ピンとで構成し、前記側頭挟み部材を前記側頭挟み保持部材に対して前記側頭挟み部材保持ピンを中心にして回転できるように保持し、前記側頭挟み保持部材に前後方向に第１孔が設け、前記前後移動部材を前後移動伝達部材と前後移動駆動部材とで構成し、前記側頭挟み部材の一端部を前記前後移動伝達部材に対して回転自在かつ所定の範囲で移動可能とし、前記前後移動駆動部材に前記第１孔に対向する位置に前後移動用ネジ孔を形成し、前記間隔調整部材を間隔調整ネジ部と間隔調整頭部とを有するネジとし、前記第１孔に挿入した前記間隔調整ネジ部を前記前後移動用ネジ孔にねじ込んで前記前後移動部材の位置を調整できるようにしてもよい。
【００１１】
また、前記保持部材の上下方向の位置を調整する上下位置調整手段を設けてもよい。
【００１２】
また、前記上下位置調整手段を、前記保持部材と、収容部材と、上下位置調整部材とで構成し、前記収容部材に、前記保持部材の一部を収容する内部空間と、外部と前記内部空間との間を行き来できるようにする連通孔と、前記内部空間の内壁から前記連通孔に向かって延びるガイドと、前記ガイドに形成された上下位置調整用ネジ穴と形成し、前記保持部材に前記内部空間に収容される保持部を形成し、前記本体部に、前記ガイドが移動可能に嵌まり込む長孔を形成し、前記上下位置調整部材として上下位置調整ネジ部と、上下位置調整頭部とを有するネジを使用し、前記連通孔に挿入した前記上下位置調整ネジ部を前記上下位置調整用ネジ穴にねじ込んで前記収容部材に対する前記保持部材の位置を調整できるようにしてもよい。
【００１３】
また、前記保持部材の前後方向の位置を調整する前後位置調整手段を設けてもよい。
【００１４】
また、前記前後位置調整手段をロック部材と、被操作部材と、弾性部材と、被ロック部材とで構成し、前記被操作部材を前記収容部材に取り付け、前記ロック部材を前記被操作部材に取り付けるとともに、天井部材のスライド空間内に配置し、前記被ロック部材を前記天井部材に設け、前記被ロック部材に係り合う方向に前記ロック部材に対して前記弾性部材で力を加えるようにしてもよい。
【発明の効果】
【００１５】
本発明にかかる頭部保持機構によれば、一対の側頭挟み部材の他端部同士を所定の間隔で保持する間隔保持部材の保持部材に対する取り付け角度を角度調整部材で調整固定することにより、一対の側頭挟み部材で被検者の側頭部を保持固定しつつ、保持部材に対する被検者の頭部の角度を固定することができる。これにより、単に被検者の頭部の位置を固定できるだけでなく、水平面に対する被検者の頭部の角度を固定できるので、被検者の「眼耳平面」や「咬合平面」の角度を固定して診断に適したＸ線画像を得ることができる。
【図面の簡単な説明】
【００１６】
【図１】本発明が適用された頭部保持機構１００を有するＸ線撮影装置１０を示す斜視図である。
【図２】頭部保持機構１００を有する被検者保持部２２を示す斜視図である。
【図３】頭部保持機構１００を左前下方から見上げた状態を示す斜視図である。
【図４】頭部保持機構１００を示す背面図（被検者側から見た図）である。
【図５】頭部保持機構１００を示す右側面図である。
【図６】側頭挟み手段１５０、角度調整手段２００、および間隔調整手段２５０を左前下方から見上げた状態を示す分解斜視図である。
【図７】側頭挟み手段１５０、角度調整手段２００、および間隔調整手段２５０を右前上方から見おろした状態を示す分解斜視図である。
【図８】頭部保持機構１００を示す底面図である。
【図９】側頭挟み手段１５０、角度調整手段２００、および間隔調整手段２５０を示す平面図である。
【図１０】側頭挟み手段１５０、角度調整手段２００、および間隔調整手段２５０を示す正面図である。
【図１１】側頭挟み手段１５０、角度調整手段２００、および間隔調整手段２５０を示す右側面図である。
【図１２】保持部材２０６を右上後方から見おろした斜視図である。
【図１３】保持部材２０６の正面図である。
【図１４】保持部材２０６の平面図である。
【図１５】保持部材２０６の右側面図である。
【図１６】側頭挟み手段１５０、角度調整手段２００、および間隔調整手段２５０を示す平断面図である。
【図１７】間隔調整手段２５０を示す左前上方から見おろした分解斜視図である。
【図１８】頭部保持機構１００を左後上方から見おろした状態を示す分解斜視図である。
【図１９】頭部保持機構１００を右後下方から見上げた状態を示す分解斜視図である。
【図２０】図３におけるＡ−Ａ線断面図である。
【図２１】頭部保持機構１００を右前上方から見おろした状態を示す分解斜視図である。
【図２２】頭部保持機構１００を左前下方から見上げた状態を示す斜視図である。
【図２３】収容部材前面カバー３５６および天井本体部材３８４を外した状態の頭部保持機構１００を左前下方から見上げた状態を示す斜視図である。
【図２４】天井部材３５２を外した状態の前後位置調整手段３５０を右前上方から見おろした状態を示す斜視図である。
【図２５】前後位置調整手段３５０について説明するための、頭部保持機構１００の正面断面図である。
【図２６】前後位置調整機構３５４について説明するための、頭部保持機構１００の正面断面図である。
【図２７】側頭挟み部材１５２にイヤーロッド４００を取り付けた状態を示す頭部保持機構１００の背面図である。
【図２８】変形例に係る頭部保持機構１００の底面図である。
【発明を実施するための形態】
【００１７】
（Ｘ線撮影装置１０の構成）
以下では、本発明が適用された頭部保持機構１００について説明するが、それに先だって、頭部保持機構１００を有するＸ線撮影装置１０の実施例について図面を用いて説明する。
【００１８】
図１は、本発明にかかる頭部保持機構１００が使用された歯科用のＸ線撮影装置１０を示す斜視図である。このＸ線撮影装置１０は、大略、床に載置されるベース１２と、ベース１２の隅部から鉛直方向に立設された支柱１３と、この支柱１３に沿って上下動する昇降本体１４と、昇降本体１４の上端部から水平方向に延びるようにして設けられた保持フレーム１６と、保持フレーム１６における昇降本体１４側とは反対側の端部下面から吊り下げられた旋回アーム１８と、昇降本体１４の高さ方向における中ほどから保持フレーム１６と略平行に延びるようにして設けられた被検者フレーム２０と、被検者フレーム２０における昇降本体１４側とは反対側の端に設けられた被検者保持部２２とを備えている。なお、頭部保持機構１００は、被検者保持部２２の一部を構成している。
【００１９】
旋回アーム１８は、下向きに開口する略コ字状に形成されており、一方の下端部側面にはＸ線照射部２４が設けられており、このＸ線照射部２４に対向する他方の下端部側面にはＸ線検出部２６が設けられている。また、旋回アーム１８は、保持フレーム１６に対して回転するとともにその回転軸が水平移動するようになっている。旋回アーム１８は、パノラマ撮影時は回転および水平移動して撮影を行い、ＣＴ撮影時は回転して撮影を行う。もちろん、本実施例のＸ線撮影装置１０では、耳鼻科用一般撮影も行うことができる。
【００２０】
次に、被検者保持部２２について説明する。図２は、被検者保持部２２を示す拡大斜視図である。被検者保持部２２は、Ｘ線撮影を受ける被検者を保持することによって正確な位置でＸ線撮影を実施できるようにするものである。本実施例において、被検者保持部２２は、被検者の頭部を保持する頭部保持部材２８と、被検者によって把持される一対のグリップ３４とで構成されている。また、本実施例では、頭部保持部材２８は頭部保持機構１００と被検者の顎が載置される顎載置部材３２とで構成されている。さらに、顎載置部材３２には必要に応じて使用されるバイトブロック３３が取り付けられている。
【００２１】
なお、本実施例にかかる被検者保持部２２において、この頭部保持部材２８を構成する頭部保持機構１００は必須の構成要素であるが、顎載置部材３２、および、グリップ３４は必須の構成ではない。
【００２２】
本明細書では、図２に示すように、頭部保持機構１００に被検者の頭部を固定したときに当該被検者が向く方向を「前」方向、その逆を「後」方向、被検者の右手側を「右」方向、左手側を「左」方向、さらに、Ｘ線撮影装置１０を設置した床面から離れていく方向を高さ方向の「上」方向、近づいていく方向を高さ方向の「下」方向という。また、昇降本体１４側から見た頭部保持機構１００を「正面」といい、逆に被検者側から見た頭部保持機構１００を「背面」という。
【００２３】
（頭部保持機構１００の構成）
次に、頭部保持機構１００の構成について詳しく説明する。図３は、頭部保持機構１００を左前下方から見上げた状態を示す斜視図である。図４は、頭部保持機構１００を示す背面図である。また、図５は、頭部保持機構１００を示す右側面図である。
【００２４】
頭部保持機構１００は、被検者の側頭部を挟んで当該被検者の頭部を固定する側頭挟み手段１５０を備えている。また、頭部保持機構１００は、この側頭挟み手段１５０の角度を調整する角度調整手段２００と、側頭挟み手段１５０の間隔を調整する間隔調整手段２５０と、側頭挟み手段１５０の上下方向の位置を調整する上下位置調整手段３００と、側頭挟み手段１５０の前後方向の位置を調整する前後位置調整手段３５０といった各種調整手段とを備えている。なお、本実施例において、側頭挟み手段１５０および角度調整手段２００は必須の構成要素であるが、これ以外の調整手段については必要に応じて設ければよい。
【００２５】
（側頭挟み手段１５０の構成）
側頭挟み手段１５０は、被検者の側頭部を固定する手段である。図６は、側頭挟み手段１５０を左前下方から見上げた状態を示す分解斜視図である。図７は、側頭挟み手段１５０を右前上方から見おろした状態を示す分解斜視図である。図８は、頭部保持機構１００を示す底面図である。図９は、側頭挟み手段１５０を示す平面図である。図１０は、側頭挟み手段１５０を示す正面図である。図１１は、側頭挟み手段１５０を示す右側面図である。これら図６から図１１は、後述する角度調整手段２００および間隔調整手段２５０の説明でも使用する。
【００２６】
側頭挟み手段１５０は、被検者の側頭部を挟んで当該被検者の頭部を固定する一対の側頭挟み部材１５２を有している。各側頭挟み部材１５２は所定の曲率で湾曲した形状になっている。また、各側頭挟み部材１５２の一端からは、下方向に延びる第１ピン１５４が突き出すようにして設けられている。さらに、各側頭挟み部材１５２における、第１ピン１５４からやや中央寄りの位置には、断面が円形の一対の孔１５６（側頭挟み保持用ピン孔）が形成されている。なお、各側頭挟み部材１５２は、本実施例のように所定の曲率で湾曲した形状に限定されるものではなく、例えば、平らな材料を谷折りしたような形状や、平らな形状であってもよい。
【００２７】
（角度調整手段２００の構成）
次に角度調整手段２００の構成について説明する。図６は、角度調整手段２００を左前下方から見上げた状態を示す分解斜視図である。図７は、角度調整手段２００を右前上方から見おろした状態を示す分解斜視図である。図８は、頭部保持機構１００を示す底面図である。図９は、角度調整手段２００を示す平面図である。図１０は、角度調整手段２００を示す正面図である。図１１は、角度調整手段２００を示す右側面図である。角度調整手段２００は、側頭挟み保持部材２０２と、保持部材２０６と、角度調整部材２０８と、側頭挟み部材保持ピン２１０と、標準角度規定ツマミ２１１とで構成されており、側頭挟み手段１５０を保持する側頭挟み保持部材２０２と、保持部材２０６との間の角度を調整する手段である。
【００２８】
側頭挟み保持部材２０２は、一対の側頭挟み部材１５２の各一端部をそれぞれ保持する部材である。本実施例において、側頭挟み保持部材２０２は、中心軸ＣＬを中心にして左右対称の形状を有しており（図８を参照）、後側（被検者の頭部に近い側）の両外端部に側頭挟み部材保持ピン２１０を挿入する側頭挟み保持用ピン第２孔２１４を有している。この側頭挟み部材保持ピン２１０を側頭挟み部材１５２の孔１５６および側頭挟み保持用ピン第２孔２１４に嵌め込むことにより、側頭挟み部材１５２が側頭挟み部材保持ピン２１０を中心にして回転できるように側頭挟み保持部材２０２に保持される。
【００２９】
なお、側頭挟み部材保持ピン２１０を孔１５６および側頭挟み保持用ピン第２孔２１４に嵌合させて保持する構造は、後述する間隔調整手段２５０に関係するものである。したがって、間隔調整手段２５０が不要な場合は、側頭挟み部材１５２を側頭挟み保持部材２０２に対して他の手段で固定してもよい。また、本実施例では、側頭挟み部材保持ピン２１０を側頭挟み部材１５２および側頭挟み保持部材２０２とは別部材としているが、側頭挟み部材保持ピン２１０を側頭挟み部材１５２および側頭挟み保持部材２０２のいずれ一方と一体に形成してもよい。
【００３０】
また、側頭挟み保持部材２０２は大きくわけて３つの空間部を有している。第１の空間部２１２は中心軸ＣＬを含む中央部付近に形成されており、かつ、一対の長孔２１３が形成された底面２１５を有している。第２の空間部２１６および第３の空間部２１８は、中心軸ＣＬを中心として左右対称に、それぞれ第１の空間部２１２から離れた位置に形成されている
【００３１】
さらに、側頭挟み保持部材２０２の前方面には、外側と第１の空間部２１２との間を互いに行き来できるようにする第１孔２２０が形成されている（第１孔２２０は図１７を参照）。また、側頭挟み保持部材２０２の両側面には、外側と第２の空間部２１６および第３の空間部２１８との間を互いに行き来できるようにする第２孔２２２（角度調整部材挿入用孔）がそれぞれ形成されている。
【００３２】
また、側頭挟み保持部材２０２の後側面２０４は、側頭挟み部材１５２と同様の湾曲面となっており、この後側面２０４と一対の側頭挟み部材１５２とが組み合わさることによって形成される湾曲部Ａに被検者の頭部が嵌まるようになっている。
【００３３】
保持部材２０６は、側頭挟み保持部材２０２を高さ方向の所定の位置で保持するための部材である。保持部材２０６の詳細について、図６から図１１までに加えて、図１２から図１５までを用いて説明する。図１２は、保持部材２０６を右上後方から見おろした斜視図である。図１３は、保持部材２０６の正面図である。図１４は、保持部材２０６の平面図である。また、図１５は、保持部材２０６の右側面図である。本実施例において、保持部材２０６は保持部２２４と円柱部２２６と四角柱部２２８とで一体的に構成されている。
【００３４】
保持部２２４は、略平板状の部分であり、その左右方向の略中心には、上下方向に延びる長孔２３０が形成されている。
【００３５】
円柱部２２６は、保持部２２４の下端において右方向に延びるように設けられている。また、四角柱部２２８は、保持部２２４の下端において左方向に延びるように設けられている。さらに、円柱部２２６と四角柱部２２８とは同一直線上に配置されている。円柱部２２６は側頭挟み保持部材２０２における第２の空間部２１６に嵌め込まれており、また、四角柱部２２８は第３の空間部２１８に嵌合されている。このように円柱部２２６および四角柱部２２８を側頭挟み保持部材２０２に嵌め込んだ状態で円柱部２２６および四角柱部２２８における側頭挟み保持部材２０２の第２孔２２２に対向する面にも同様のネジ孔２３２（角度調整ネジ孔）がそれぞれ形成されている。
【００３６】
標準角度規定ツマミ２１１は、必要に応じて設けられるものであり、図１２に示すように、１枚の板材を２枚に折り曲げて第１部材２３６および第２部材２３８とした形状をしており、第１部材２３６および第２部材２３８の上側には一対のツマミ部２４０がそれぞれ形成されている。また、第１部材２３６および第２部材２３８には、保持部材２０６の四角柱部２２８がちょうど嵌まる四角形状のツマミ用孔２４２がそれぞれ形成されている。さらに、標準角度規定ツマミ２１１を保持部材２０６の四角柱部２２８に嵌めた状態において、保持部材２０６の保持部２２４から遠い側に位置する第１部材２３６の外面には、凸状部２４４が形成されている。
【００３７】
また、標準角度規定ツマミ２１１を四角柱部２２８に嵌め込んだ状態で保持部材２０６を側頭挟み保持部材２０２に組み付けたときに標準角度規定ツマミ２１１の凸状部２４４に対向する保持部材２０６の内側面には、凸状部２４４が嵌まる凸状部嵌合孔２４６が形成されている（図７を参照）。
【００３８】
角度調整部材２０８は、保持部材２０６に対する側頭挟み保持部材２０２の取り付け角度を調整するものである。本実施例では、角度調整部材２０８としてネジ部（角度調整ネジ部）と頭部（角度調整頭部）とを有する一対のローレットネジが使用されている（もちろん、ローレットネジ以外のネジを使用してもよい。）。
【００３９】
角度調整部材２０８の詳細について、図６から図１１までに加えて、図１６を用いて説明する。図１６は、角度調整手段２００を示す平断面図である。なお、図１６は図９に対応しており、図１６に示された符号の説明は、基本的に、図９に示された符号についての説明を援用する。但し、図１６中の符号２４４の説明は図６における説明を援用し、図１６中の符号２４６の説明は図７における説明を援用する。この図１６に示すように、角度調整部材２０８のネジ部を側頭挟み保持部材２０２の第２孔２２２に通し、さらに保持部材２０６の円柱部２２６および四角柱部２２８におけるネジ孔２３２にそれぞれねじ込んでいくことにより、円柱部２２６および四角柱部２２８の側頭挟み保持部材２０２に対向する面と角度調整部材２０８の頭部との間で側頭挟み保持部材２０２を挟むことができるようになっている。
【００４０】
（角度調整手段２００による側頭挟み手段１５０の角度調整）
ネジ孔２３２に対する角度調整部材２０８のねじ込みを緩めた状態で保持部材２０６に対する側頭挟み保持部材２０２の角度の調整を行い、然る後、ネジ孔２３２に対して角度調整部材２０８を締めることによって保持部材２０６に対する側頭挟み保持部材２０２の角度を固定することができる。つまり、角度調整部材２０８を操作することにより、水平面に対する、側頭挟み保持部材２０２の保持部材２０６への取り付け角度を調整することできる。
【００４１】
これにより、単に被検者の頭部の位置を固定できるだけでなく、被検者の頭部の角度を調整し、然る後、その角度を頭部保持機構１００で固定できるので、例えば被検者の咬合平面を水平に位置決めするなどして、診断に適したＸ線画像を得ることができる。
【００４２】
ところで、標準角度規定ツマミ２１１の凸状部２４４が側頭挟み保持部材２０２の凸状部嵌合孔２４６に嵌まった状態（ツマミ部２４０が操作されていない状態。図１６を参照。）における保持部材２０６に対する側頭挟み保持部材２０２を「標準角度」という。本実施例では、標準角度が９０°となるように凸状部２４４に対するツマミ用孔２４２の角度が設定されているが、もちろんこれに限定されるものではない。
【００４３】
この状態では、保持部材２０６の四角柱部２２８が差し込まれた標準角度規定ツマミ２１１は保持部材２０６に対する角度が固定されていることから、この標準角度規定ツマミ２１１の凸状部２４４が嵌め込まれている側頭挟み保持部材２０２も保持部材２０６に対する角度が固定された状態になっている。これにより、角度調整部材２０８を緩めただけでは、保持部材２０６に対する側頭挟み保持部材２０２の角度が標準角度から変わらないようになっている。
【００４４】
標準角度となった状態を解除するには、角度調整部材２０８を緩めるとともに、標準角度規定ツマミ２１１のツマミ部２４０をつまんで凸状部嵌合孔２４６から凸状部２４４を外すようにする。これにより、保持部材２０６に対する側頭挟み保持部材２０２の角度を変えることができるようになり、所望の角度で角度調整部材２０８を締めることで、その角度を保持することができる。
【００４５】
（間隔調整手段２５０の構成）
次に、間隔調整手段２５０について説明する。図６は、間隔調整手段２５０を左前下方から見上げた状態を示す分解斜視図である。図７は、間隔調整手段２５０を右前上方から見おろした状態を示す分解斜視図である。図８は、頭部保持機構１００を示す底面図である。図９は、間隔調整手段２５０を示す平面図である。図１７は、間隔調整手段２５０を示す左前上方から見おろした分解斜視図である。
【００４６】
間隔調整手段２５０は、上述した側頭挟み保持部材２０２と、前後移動部材２５２と、カラー２５３と、間隔調整部材２５４とで構成されており、間隔調整部材２５４で前後移動部材２５２の前後位置を調整することにより、一対の側頭挟み部材１５２の各他端部同士の間隔を調整する手段である。
【００４７】
前後移動部材２５２は、中心軸ＣＬを中心にして左右方向に延びるような形状を有する前後移動伝達部材２５６と、この前後移動伝達部材２５６の上側に取り付けられる略立方体状の前後移動駆動部材２５８とで構成されている。前後移動伝達部材２５６と前後移動駆動部材２５８とは、前後移動伝達部材２５６の上面中央部に設けられた一対の接合ピン２６０で互いに接合されている。前後移動伝達部材２５６の両端部には、側頭挟み部材１５２の一端から突き出すように設けられた第１ピン１５４が嵌まるとともにある程度移動可能な第１長穴２６２がそれぞれ形成されている。また、前後移動駆動部材２５８は、側頭挟み保持部材２０２の第１の空間部２１２に嵌め込まれている。さらに、前後移動駆動部材２５８には、第１の空間部２１２に嵌め込まれた状態で中心軸ＣＬに沿う方向に前後移動用ネジ孔２６４が形成されている。また、カラー２５３にも、中心軸ＣＬに沿う方向い前後移動用孔２６６が形成されている。
【００４８】
なお、本実施例では、側頭挟み部材１５２に第１ピン１５４が設けられ、前後移動伝達部材２５６に第１長穴２６２が形成されているが、これとは逆に、側頭挟み部材１５２に第１長穴２６２を形成し、前後移動伝達部材２５６に第１ピン１５４を設けてもよい。
【００４９】
間隔調整部材２５４は側頭挟み手段１５０の間隔を調整するための部材である。本実施例では、間隔調整部材２５４としてネジ部（間隔調整ネジ部）と頭部（間隔調整頭部）とを有する一対のローレットネジが使用されている（もちろん、ローレットネジ以外のネジを使用してもよい。）。間隔調整部材２５４のネジ部が外側から側頭挟み保持部材２０２の第１孔２２０およびカラー２５３の前後移動用孔２６６に順に通され、さらに、前後移動部材２５２の前後移動駆動部材２５８に形成された前後移動用ネジ孔２６４にねじ込まれている。これにより、間隔調整部材２５４の頭部を一の方向に回転させると前後移動部材２５２が前方向（間隔調整部材２５４の頭部に近づく方向）に移動する。逆に、間隔調整部材２５４の頭部を逆の方向に回転させると前後移動部材２５２が後方向（間隔調整部材２５４の頭部から離れる方向）に移動する。
【００５０】
（間隔調整手段２５０による側頭挟み手段１５０の間隔調整）
間隔調整部材２５４を一の方向に回転させることによって前後移動部材２５２が前方向に移動すると、側頭挟み部材１５２に形成された第１ピン１５４が前後移動部材２５２に形成された第１長穴２６２に沿って外方向（中心軸ＣＬから離れていく方向）に移動する。すると、前後移動部材２５２の移動にかかわらず同じ位置にある側頭挟み保持部材２０２の側頭挟み部材保持ピン２１０が嵌め込まれている側頭挟み部材１５２の孔１５６を中心として、当該側頭挟み部材１５２の他端部が内方向（中心軸ＣＬに近づく方向）に移動する。このように、一対の側頭挟み部材１５２の各他端部が共に内方向に移動するので、被検者の頭部を挟む側頭挟み手段１５０の間隔が狭くなる。
【００５１】
逆に、間隔調整部材２５４を逆の方向に回転させることによって前後移動部材２５２が後方向に移動すると、側頭挟み部材１５２の先端から突き出すようにして設けられた第１ピン１５４が前後移動部材２５２に形成された第１長穴２６２に沿って内方向に移動する。すると、前後移動部材２５２の移動にかかわらず同じ位置にある側頭挟み保持部材２０２の側頭挟み部材保持ピン２１０が嵌め込まれている側頭挟み部材１５２の孔１５６を中心として、当該側頭挟み部材１５２の他端部が外方向に移動する。このように、一対の側頭挟み部材１５２の各他端部が共に外方向に移動するので、被検者の頭部を挟む側頭挟み手段１５０の間隔が広くなる。
【００５２】
このように、本実施例における頭部保持機構１００の間隔調整手段２５０によれば、間隔調整部材２５４を回転させるだけで、被検者の頭部の大きさに合わせて側頭挟み手段１５０の間隔を容易に調整することができる。
【００５３】
（上下位置調整手段３００の構成）
上下位置調整手段３００は、側頭挟み手段１５０の上下位置を調整する手段である。図１８は、上下位置調整手段３００を左後上方から見おろした状態を示す分解斜視図である。図１９は、上下位置調整手段３００を右後下方から見上げた状態を示す分解斜視図である。また、図２０は、上下位置調整手段３００の断面図である。
【００５４】
上下位置調整手段３００は、上述した保持部材２０６と、収容部材３０２と、上下位置調整部材３０６とで構成されている。
【００５５】
保持部材２０６は、上述の通り、保持部２２４と円柱部２２６と四角柱部２２８とで一体的に構成されており、上下方向に延びる長孔２３０が形成された断面長方形の板状部である保持部２２４が収容部材３０２の内部空間３０４に収容されるようになっている。
【００５６】
収容部材３０２は、本体ケース３２０とカバー３２２とを備えており、本体ケース３２０にカバー３２２を組み付けた状態で、上述した内部空間３０４が構成されるようになっている。カバー３２２の表面には、外部と内部空間３０４との間を行き来できるようにする第３孔３０８が形成されている。また、当該第３孔３０８に対向する本体ケース３２０の内面からは、当該第３孔３０８に向かって延びる略円柱状のガイド３１０が形成されており、当該ガイド３１０の先端部は第３孔３０８に嵌まっている。さらに、ガイド３１０の上下位置調整部材３０６に向かう面には、上下位置調整用ネジ穴３１２が形成されている。また、保持部材２０６の保持部２２４に形成された長孔２３０には、このガイド３１０が嵌め込まれている。
【００５７】
上下位置調整部材３０６は、保持部材２０６の上下方向の位置を調整するための部材であり、本実施例では、上下位置調整部材３０６としてネジ部（上下位置調整ネジ部）と頭部（上下位置調整頭部）とを有するローレットネジが使用されている（もちろん、ローレットネジ以外のネジを使用してもよい。）。上下位置調整部材３０６のネジ部が外側から第３孔３０８に挿入され、さらに、ガイド３１０の上下位置調整用ネジ穴３１２にねじ込まれている。また、上下位置調整部材３０６におけるネジ部の長さは、当該ネジ部を上下位置調整用ネジ穴３１２にねじ込んでいったとき、ネジ部の先端が上下位置調整用ネジ穴３１２の底に接触するまでに頭部が収容部材３０２の表面に接触するように設定されている。
【００５８】
（上下位置調整手段３００による側頭挟み手段１５０の上下位置調整）
上下位置調整手段３００は、上記のような構造を有していることにより、上下位置調整部材３０６の上下位置調整用ネジ穴３１２へのねじ込みを緩めた状態で、収容部材３０２に対して保持部材２０６を出し入れして当該保持部材２０６の上下方向の位置（つまり、側頭挟み手段１５０の上下方向の位置）を所望の位置に設定する。然る後、上下位置調整部材３０６を上下位置調整用ネジ穴３１２に締め込んでいくことにより、上下位置調整部材３０６の頭部で収容部材３０２の表面を押圧する。これにより、押圧された収容部材３０２がその内部空間３０４で保持部材２０６の保持部２２４を挟んで締めていくことになり、収容部材３０２に対する保持部材２０６の位置が固定される。
【００５９】
このように、本実施例における頭部保持機構１００の上下位置調整手段３００によれば、上下位置調整部材３０６を操作して収容部材３０２に対する保持部材２０６の位置（つまり、側頭挟み手段１５０の上下方向の位置）を調整できるので、被検者の体格などに合わせて側頭挟み手段１５０の上下位置を容易に調整することができる。
【００６０】
（前後位置調整手段３５０の構成）
次に、前後位置調整手段３５０について説明する。図２０は、前後位置調整手段３５０の断面図である。図２１は、前後位置調整手段３５０を右前上方から見おろした状態を示す分解斜視図である。図２２は、前後位置調整手段３５０を左前下方から見上げた状態を示す斜視図である。図２３は、収容部材前面カバー３５６および天井本体部材３８４を外した状態の前後位置調整手段３５０を左前下方から見上げた状態を示す斜視図である。図２４は、天井部材３５２を外した状態の前後位置調整手段３５０を右前上方から見おろした状態を示す斜視図である。図２５は、前後位置調整手段３５０の正面断面図である。
【００６１】
前後位置調整手段３５０は、ロック部材３５８と、被操作部材３６０と、弾性部材３６２と（図２５を参照）、弾性部材受け部３６４と、被操作部材ガイド部３６６と、被ロック部材３６８とで構成されている。このうち、ロック部材３５８、被操作部材３６０、弾性部材３６２は、収容部材３０２に設けられている。また、弾性部材受け部３６４、および被操作部材ガイド部３６６は、収容部材３０２の一部である。さらに、被ロック部材３６８は、天井部材３５２に設けられている。また、収容部材３０２に設けられた前後位置調整手段３５０の構成部材を覆うための収容部材前面カバー３５６が用意されている。
【００６２】
前後位置調整手段３５０は、天井部材３５２に対する収容部材３０２の前後位置を調整することにより、一部が収容部材３０２に収容されている保持部材２０６の前後方向の位置を調整して、最終的に側頭挟み手段１５０の前後方向の位置を調整する。
【００６３】
ロック部材３５８は、略直方体状の部材であり、その上面には山型の断面形状を有する凹凸部３７０を有しており、天井部材３５２に形成された被ロック部材３６８の被係合部３７２（後述）に係り合うようになっている。本実施例では、凹凸部３７０はロック部材３５８の左右両端部に形成されているが（図２４を参照）、凹凸部３７０の位置や形状はこれに限定されるものではなく、被ロック部材３６８の被係合部３７２（後述）に係り合うことができる位置や形状であれば、どのようなものでもよい。
【００６４】
被操作部材３６０は、ロック部材３５８を上下方向に移動させるための部材であり、被操作部３７４と、弾性体受け部３７６と、ロック部材接続部３７８とを備えている。被操作部３７４は歯科医師などのユーザーが前後位置調整を行う際に触れる部分であり、本実施例では、前後位置調整手段３５０を正面から見て左右に張り出すように形成されている。また、弾性体受け部３７６は、被操作部材３６０が上方向に移動するように弾性部材３６２からの弾性力を受ける部分である。さらに、ロック部材接続部３７８は、その先端部にロック部材３５８が取り付けられる部分である。
【００６５】
弾性部材３６２は、その弾性力で被操作部材３６０を常に上方向に押し上げようとするための部材である。本実施例では、弾性部材３６２として「ばね」が使用されているが、これに限定されることなく、例えば、エラストマーなど、他の弾性体を使用してもよい。
【００６６】
弾性部材受け部３６４は、上述した弾性部材３６２が被操作部材３６０を押し上げようとする力の反力を受けるための部分であり、収容部材３０２の正面側に形成されている。
【００６７】
被操作部材ガイド部３６６は、必要に応じて設けられる部分であり、ユーザーが被操作部材３６０を上下方向に動かす際、被操作部材３６０の動きができるだけ鉛直方向に沿った動きとなるように被操作部材３６０をガイドするための部分である。また、弾性部材受け部３６４と同様、被操作部材ガイド部３６６も収容部材３０２の正面側に形成されている。本実施例では、被操作部材３６０に設けられたガイド用孔３８０にこの被操作部材ガイド部３６６が嵌まるようになっており、被操作部材３６０を上下方向に動かす際、ガイド用孔３８０の内側で被操作部材ガイド部３６６がガイドの役割を果たすようになっている。
【００６８】
また、収容部材３０２の上端部には、天井部材３５２のスライド空間３８８に収容されるスライド部材３８２が設けられている。
【００６９】
天井部材３５２は、頭部保持機構１００を構成する部材のうち最も上方に配置された部材であり、天井本体部材３８４と、天井カバー３８６とを備えている。天井本体部材３８４は無蓋箱状に形成されており、天井カバー３８６で蓋をすることにより、収容部材３０２のスライド部材３８２がスライドできるスライド空間３８８が形成されるようになっている。また、天井本体部材３８４の底面には、前後方向にスリット３９０が形成されており、このスリット３９０を介して、スライド空間３８８をスライドするロック部材３５８およびスライド部材３８２と、天井部材３５２に下方で前後方向に動く収容部材３０２とが互いに接続された状態を維持することができる。
【００７０】
また、天井カバー３８６の底面におけるスライド空間３８８に対応する位置には、被ロック部材３６８が設けられている。また、この被ロック部材３６８には、ロック部材３５８の凹凸部３７０と係り合う被係合部３７２が形成されている。
【００７１】
（前後位置調整手段３５０による側頭挟み手段１５０の前後位置調整）
上記のような構造を有していることにより、前後位置調整手段３５０は、被操作部材３６０を自然状態（ユーザーが手を触れない状態）にしている場合、図２５に示すように、被操作部材３６０が弾性部材３６２に押し上げられている。このため、被操作部材３６０のロック部材接続部３７８がロック部材３５８を上方に押し上げることになり、ロック部材３５８の凹凸部３７０が天井カバー３８６に形成された被ロック部材３６８の被係合部３７２と係り合うようになっている。これにより、収容部材３０２が前後方向に移動しないようになっている。
【００７２】
図２６は前後位置調整手段３５０の正面断面図であり、図２５の状態から被操作部材３６０を下方に移動させた状態を示している。ユーザーが被操作部３７４を挟んで被操作部材３６０を下方向に移動させると、図２６に示すように、ロック部材接続部３７８に接続されたロック部材３５８も下方向に移動するので、ロック部材３５８の凹凸部３７０と被ロック部材３６８の被係合部３７２とが係り合った状態が解ける。この状態であれば、収容部材３０２を前後方向に移動させて側頭挟み手段１５０を所望の前後位置に調整することができる。
【００７３】
前後位置の調整が終わったら被操作部３７４を放す。すると、弾性部材３６２の弾性力により再び図２５の状態に戻り、ロック部材３５８の凹凸部３７０と被ロック部材３６８の被係合部３７２とが再び係り合った状態となり、収容部材３０２の前後方向の位置が固定される。
【００７４】
このように、本実施例における頭部保持機構１００の前後位置調整手段３５０によれば、天井部材３５２に対する収容部材３０２の位置（つまり、側頭挟み手段１５０の前後位置。）を容易に調整できるので、被検者の体格などに合わせて側頭挟み手段１５０の前後位置を容易に調整することができる。
【００７５】
（変形例１）
上述した実施例において、側頭挟み手段１５０は、一対の側頭挟み部材１５２で被検者の側頭部（こめかみ部）を挟んで固定するものである。例えば、顎関節撮影（ＴＭＪ撮影）では顎を閉じた状態と開いた状態とを撮影するが、その際、口を開けられなくなることから顎載置部材３２を使用しない。このように顎載置部材３２を使用しない場合は、上述した実施例における側頭挟み部材１５２だけでなく、各側頭挟み部材１５２の他端部にそれぞれ取り付けられるイヤーロッド４００を側頭挟み手段１５０に加えてもよい。図２７は、図３に示す状態から、各側頭挟み部材１５２にそれぞれイヤーロッド４００を取り付けた状態を示している。
【００７６】
イヤーロッド４００は、湾曲した板状の本体部４０２と、この本体部４０２の一端部に形成された、側頭挟み部材１５２の他端部に接続可能な接続部４０４と、本体部４０２の他端部から突き出すようにして設けられた、被検者の耳の穴に嵌め込まれるイヤーピン４０６とで構成されている。本体部４０２の湾曲の度合いは、側頭挟み部材１５２の他端部を被検者の側頭部に当接させた状態でイヤーピン４０６が被検者の耳の穴に嵌まるように適宜設定される。
【００７７】
このようなイヤーロッド４００を使用することにより、顎載置部材３２を使用することなく、側頭部に加えて被検者の耳の穴を利用して被検者の頭部の位置決めおよび角度決めを行い、診察に適したＸ線画像を得ることができる。
【００７８】
なお、イヤーロッド４００は、上述のように、側頭挟み部材１５２に対して取り外し可能にしてもよいし、イヤーロッド４００と側頭挟み部材１５２とを互いに一体的に形成してもよい。
【００７９】
（変形例２）
上述した実施例において、角度調整手段２００は、一対のローレットネジである角度調整部材２０８の頭部と、保持部材２０６の円柱部２２６および四角柱部２２８とで側頭挟み保持部材２０２を挟むことにより、保持部材２０６に対する側頭挟み保持部材２０２（および側頭挟み手段１５０）の角度を固定するようにしているが、これに代えて、図２８に示すような態様にしてもよい。図２８は、この変形例２に係る頭部保持機構１００の底面図であり、図８に対応している。
【００８０】
図２８に示す実施例では、角度調整部材２０８のネジ部がねじ込まれる第２孔２２２が側頭挟み保持部材２０２の前方と第３の空間部２１８との間を互いに行き来できるように形成されている。また、保持部材２０６の四角柱部２２８は例えば円柱状に形成されている（以下、「円柱状部材２２８」という）。角度調整部材２０８は、第２孔２２２を通ったネジ部の先端が保持部材２０６における円柱状部材２２８の側面に当たるようになっている。このように角度調整部材２０８におけるネジ部の先端を円柱状部材２２８の側面に押し付けることにより、保持部材２０６に対する側頭挟み保持部材２０２の角度を固定することができる。もちろん、角度調整部材２０８は、第２の空間部２１６側に設けてもよい。さらに、保持部材２０６の円柱状部材２２８との間で側頭挟み保持部材２０２を挟むタイプの角度調整部材２０８と、ネジ部の先端で円柱状部材２２８を押圧するタイプの角度調整部材２０８とを併用してもよい。
【００８１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８２】
１０…Ｘ線撮影装置、１２…ベース、１３…支柱、１４…昇降本体、１６…保持フレーム、１８…旋回アーム、２０…被検者フレーム、２２…被検者保持部、２４…Ｘ線照射部、２６…Ｘ線検出部、２８…頭部保持部材、３２…顎載置部材、３３…バイトブロック、３４…グリップ
１００…頭部保持機構
１５０…側頭挟み手段、１５２…側頭挟み部材、１５４…第１ピン、１５６…孔（側頭挟み保持用ピン孔）
２００…角度調整手段、２０２…側頭挟み保持部材、２０４…（側頭挟み保持部材の）後側面、２０６…保持部材、２０８…角度調整部材、２１０…側頭挟み部材保持ピン、２１１…標準角度規定ツマミ、２１２…第１の空間部、２１３…長孔、２１４…側頭挟み保持用ピン第２孔、２１５…底面、２１６…第２の空間部、２１８…第３の空間部、２２０…第１孔、２２２…第２孔、２２４…保持部、２２６…円柱部、２２８…四角柱部、２３０…長孔、２３２…ネジ孔、２３６…（標準角度規定ツマミの）第１部材、２３８…（標準角度規定ツマミの）第２部材、２４０…ツマミ部、２４２…ツマミ用孔、２４４…凸状部、２４６…凸状部嵌合孔
２５０…間隔調整手段、２５２…前後移動部材、２５３…カラー、２５４…間隔調整部材、２５６…前後移動伝達部材、２５８…前後移動駆動部材、２６０…接合ピン、２６２…第１長穴、２６４…前後移動用ネジ孔、２６６…前後移動用孔
３００…上下位置調整手段、３０２…収容部材、３０４…（収容部材の）内部空間、３０６…上下位置調整部材、３０８…第３孔、３１０…ガイド、３１２…上下位置調整用ネジ穴、３２０…（収容部材の）本体ケース、３２２…（収容部材の）カバー
３５０…前後位置調整手段、３５２…天井部材、３５６…収容部材前面カバー、３５８…ロック部材、３６０…被操作部材、３６２…弾性部材、３６４…弾性部材受け部、３６６…被操作部材ガイド部、３６８…被ロック部材、３７０…凹凸部、３７２…（被ロック部材の）被係合部、３７４…被操作部、３７６…弾性体受け部、３７８…ロック部材接続部、３８０…ガイド用孔、３８２…スライド部材、３８４…天井本体部材、３８６…天井カバー、３８８…スライド空間、３９０…スリット
４００…イヤーロッド、４０２…本体部、４０４…接続部、４０６…イヤーピン
【図１】
2018007920.tif 000003
【図２】
2018007920.tif 000004
【図３】
2018007920.tif 000005
【図４】
2018007920.tif 000006
【図５】
2018007920.tif 000007
【図６】
2018007920.tif 000008
【図７】
2018007920.tif 000009
【図８】
2018007920.tif 000010
【図９】
2018007920.tif 000011
【図１０】
2018007920.tif 000012
【図１１】
2018007920.tif 000013
【図１２】
2018007920.tif 000014
【図１３】
2018007920.tif 000015
【図１４】
2018007920.tif 000016
【図１５】
2018007920.tif 000017
【図１６】
2018007920.tif 000018
【図１７】
2018007920.tif 000019
【図１８】
2018007920.tif 000020
【図１９】
2018007920.tif 000021
【図２０】
2018007920.tif 000022
【図２１】
2018007920.tif 000023
【図２２】
2018007920.tif 000024
【図２３】
2018007920.tif 000025
【図２４】
2018007920.tif 000026
【図２５】
2018007920.tif 000027
【図２６】
2018007920.tif 000028
【図２７】
2018007920.tif 000029
【図２８】
2018007920.tif 000030